(57)【要約】【課題】  スイッチを導光シートの上から押した時のクリック感を高めると同時に、複数のスイッチ間に輝度差の発生を抑制したシートスイッチモジュールを提供することである。【解決手段】  基板２２と、この基板２２上に形成される複数のスイッチ２８と、この複数のスイッチ２８の上方に配置され、各スイッチ２８に向き合う面に複数の突起部３３が形成され、突起部３３のそれぞれが各スイッチ２８に対向配置された導光シート３１と、前記基板２２の一端に配置され、前記導光シート３１に光を入射する発光素子２７とを備え、前記導光シート３１は複数の突起部３３の少なくとも一つがある位置に外周側の遮光部３７と中央側の遮光部５１とを有する。【選択図】      図９
2009289743.tif 000002
【特許請求の範囲】
【請求項１】
基板と、
この基板上に配置される複数のスイッチと、
この複数のスイッチの上方に配置され、各スイッチに対向する面に複数の突起部を有する導光シートと、
前記基板の少なくとも一端に配置され、前記導光シートに光を入射する少なくとも一つの光源とを備え、
前記導光シートは、複数の突起部の少なくとも一つがある位置に遮光部を有していることを特徴とするシートスイッチモジュール。
【請求項２】
前記遮光部は、突起部の光源と対向する面とは反対側の位置に設けられている請求項１に記載のシートスイッチモジュール。
【請求項３】
前記遮光部は、前記突起部の光源と対向する面とは反対側の外周縁の位置に設けられている請求項２に記載のシートスイッチモジュール。
【請求項４】
前記遮光部は、突起部の外周縁に沿って帯状に形成されている請求項３に記載のシートスイッチモジュール。
【請求項５】
前記遮光部は、前記導光シートが有する実質的に平坦な導光部と突起部との間に設けられている請求項３又は４に記載のシートスイッチモジュール。
【請求項６】
前記遮光部は、前記導光シートが有する実質的に平坦な導光部の上面に設けられている請求項３又は４に記載のシートスイッチモジュール。
【請求項７】
前記遮光部は、前記突起部の光源と対向する面とは反対側の外表面に沿って設けられている請求項２に記載のシートスイッチモジュール。
【請求項８】
前記遮光部は、突起部の頂部に向かって幅が小さくなる台形状に形成されている請求項７に記載のシートスイッチモジュール。
【請求項９】
前記遮光部は、突起部の頂部に位置している請求項１に記載のシートスイッチモジュール。
【請求項１０】
前記遮光部は、突起部の頂部を中心としてその周囲に円形状に形成されている請求項９に記載のシートスイッチモジュール。
【請求項１１】
前記遮光部は、突起部の頂部と接触するスイッチ側の頂部に設けられている請求項９に記載のシートスイッチモジュール。
【請求項１２】
前記遮光部は、非粘着性のコーティング材で構成される請求項９、１０及び１１のいずれか一つに記載のシートスイッチモジュール。
【請求項１３】
基板と、
この基板上に配置される複数のスイッチと、
この複数のスイッチの上方に配置され、各スイッチに対向する面に複数の突起部を有する導光シートと、
前記基板の少なくとも一端に配置され、前記導光シートに光を入射する少なくとも一つの光源とを備え、
前記導光シートの突起部の光源に対向する面とは反対側の外周部に近接して外周側の遮光部が設けられると共に、
前記突起部とスイッチとの接触部分に中央側の遮光部が設けられていることを特徴とするシートスイッチモジュール。
【請求項１４】
前記遮光部は、導光シートに設けられた複数の突起部の位置が前記光源から離れるにしたがって遮光量が減少するように調整されている請求項１、２、９及び１３のいずれか一つに記載のシートスイッチモジュール。
【請求項１５】
前記遮光量は、光源に近い位置の突起部に設けられる遮光部の面積を大きく、光源に遠い位置の突起部に設けられる遮光部の面積を小さくすることで調整される請求項１４に記載のシートスイッチモジュール。
【請求項１６】
前記遮光量は、光源に近い位置の突起部に設けられる遮光部の印刷濃度を濃く、光源に遠い位置の突起部に設けられる遮光部の印刷濃度を薄くすることで調整される請求項１４に記載のシートスイッチモジュール。
【発明の詳細な説明】
【技術分野】
【０００１】
本発明は、携帯電話機や携帯情報端末機器などの各種電子機器のキー入力部を構成するシートスイッチモジュールに関するものである。
【背景技術】
【０００２】
従来、携帯電話機や携帯情報端末機等の薄型の電子機器のキーパッドに設けられるキー入力部には、照明機能を備えたシートスイッチモジュールを用いて構成されているものが多い。このようなシートスイッチモジュールは、一例として基板上に配置される複数のスイッチと、このスイッチの上に配置される導光シートと、この導光シートの一端に配置される光源とで構成されるものがある（特許文献１〜５）。
【先行技術文献】
【特許文献】
【０００３】
【特許文献１】特開２００６−３２３８４３号公報
【特許文献２】特開２００６−３２４２４０号公報
【特許文献３】特開２００６−３２４２４１号公報
【特許文献４】特開２００６−３２４２５３号公報
【特許文献５】実開平７−１５４５号公報
【発明の概要】
【発明が解決しようとする課題】
【０００４】
ところで、この種のシートスイッチモジュールにおいては、基板上に配置されたスイッチを導光シートの上から押した時のクリック感を高める目的で、各スイッチに対応する導光シートの裏面に突起を設けているが、導光シートの裏面に突起を設けると、光源に近い位置にある突起と遠い位置にある突起との光拡散効果の違いによってスイッチ間に輝度差が生じ、導光シートの上から見たときにスイッチ間に明るさのバラツキが生じるといった問題があった。
【０００５】
また、一つ一つの突起を見ても光源側に対向する面とその反対側の面では光反射効果が異なるため、突起の一部がスポット的に明るく際立ち、一つのスイッチの中でも明るさにムラが生じるといった問題があった。
【０００６】
そこで、本発明の目的は、スイッチを導光シートの上から押した時のクリック感を高めると同時に、複数のスイッチ間に輝度差の発生を抑制したシートスイッチモジュールを提供するものである。
【課題を解決するための手段】
【０００７】
上記課題を解決するために、本発明のシートスイッチモジュールは、基板と、この基板上に配置される複数のスイッチと、この複数のスイッチの上方に配置され、各スイッチに対向する面に複数の突起部を有する導光シートと、前記基板の少なくとも一端に配置され、前記導光シートに光を入射する少なくとも一つの光源とを備え、前記導光シートは、複数の突起部の少なくとも一つがある位置に遮光部を有していることを特徴とする。
【０００８】
遮光部は前記突起部の光源に近い、光源と対向する面とは反対側の外周面及び外周縁の少なくとも一方に設けられた遮光部からなり、あるいは突起部とスイッチとの接触部分に設けられた遮光部からなる。遮光部が突起部の外周に設けられた遮光部と、突起部とスイッチとの接触部分に設けられた遮光部の一方を有する場合と、両方を有する場合とがある。
【０００９】
また、遮光部は、平面視で突起部のある位置において、導光シートの上面もしくは、導光シートの導光部と突起部の間に設けても良い。
【発明の効果】
【００１０】
本発明のシートスイッチモジュールによれば、基板上に配置された複数のスイッチに対応して導光シートの裏面に複数の突起部を設け、この突起部に遮光部を設けたので、導光シートの上からスイッチを押した時の良好なクリック感を損なうことなく、基板上に配置された全てのスイッチ及び一つ一つのスイッチを均一な明るさで照明することができる。
【図面の簡単な説明】
【００１１】
【図１】本発明の第１実施形態に係るシートスイッチモジュールの分解斜視図である。
【図２】上記シートスイッチモジュールの要部の断面図である。
【図３】上記シートスイッチモジュールの要部の透過斜視図である。
【図４】図４ａは遮光部を突起部の外周面の一部に設けた場合の上記シートスイッチモジュールの断面図、図４ｂは遮光部の形状を示す平面図である。
【図５】上記シートスイッチモジュールの平面図である。
【図６】遮光部を導光シートの上面に設けた場合の上記シートスイッチモジュールの断面図である。
【図７】導光シートの突起部とスイッチとの接触部分に遮光部を設けた第２実施例に係るシートスイッチモジュールの断面図である。
【図８】突起部の外周に設けた遮光部及び突起部とスイッチとの接触部分に設けた遮光部を備えた第３実施例に係るシートスイッチモジュールの断面図である。
【図９】第３実施形態に係るシートスイッチモジュールの要部の透過斜視図である。
【図１０】第３実施形態に係るシートスイッチモジュールの部分平面図である。
【図１１】第３実施形態に係るシートスイッチモジュールの他の例を示す断面図である。
【図１２】第３実施形態に係るシートスイッチモジュールのその他の例を示す断面図である。
【発明を実施するための形態】
【００１２】
以下、添付図面に基づいて本発明に係るシートスイッチモジュールの実施形態を詳細に説明する。図１乃至図６は本発明の第１実施形態に係るシートスイッチモジュール２０を示したものである。このシートスイッチモジュール２０は、複数のスイッチ２８を設けた基板２２と、この基板２２上に配置された導光シート３１とによって構成されている。各スイッチ２８に向き合う導光シート３１の裏面には前記複数のスイッチ２８のそれぞれに対応する位置に突起部３３が設けられており、本発明ではこの突起部３３の少なくとも一部に後述する遮光部が設けられている。
【００１３】
前記基板２２上には所定間隔ごとに配置される複数のスイッチ２８が設けられる。基板２２は、薄く成形されたエポキシ樹脂板やフレキシブル（ＦＰＣ）板が用いられ、その一端には複数のスイッチ２８全体を照明するための発光素子２７が配置される。スイッチ２８は、前記基板２２上にパターン形成される固定接点２３と、この固定接点２３上に配置される可動接点（タクトバネ）２４とで構成され、裏面側に粘着面を有する薄いシート材２５によって、前記タクトバネ２４を基板２２上に固定している。
【００１４】
例えば、携帯電話機の操作パネルのシートスイッチモジュールとして形成される場合は、前記基板２２はその操作パネルと略同一の形状及び大きさに形成され、数字キーやアルファベットキー、その他のファンクションキー等が配置される箇所に合わせて前記固定接点２３が複数設けられる。前記タクトバネ２４は、良好なクリック感を得るためにバネ性のある薄い金属材によるドーム型に形成され、前記各固定接点２３に対応してその上方に被さるように配置されている。また、タクトバネ２４の上面は、一例では反射率を高めるために鏡面加工が施されており、前記導光シート３１によって導かれた発光素子２７からの入射光を反射させることで視認性が高められる構成となっている。
【００１５】
前記シート材２５は、図２に示したように、前記タクトバネ２４の位置に対応した箇所がエンボス成形され、そのエンボス部でタクトバネ２４を被覆保持している。シートスイッチモジュール２０を実際に組み立てる際には、エンボス部を含むシート材２５の裏面全体に透明な粘着剤を一様に塗布し、エンボス部に前記タクトバネ２４を粘着保持させたのち、前記固定接点２３が配置されている基板２２の上面に被せて位置合わせし、基板２２に密着させる。なお、前記シート材２５に上述したようなエンボス部を設けることなく、平面状のシート材に直接タクトバネ２４を粘着させ、これを加熱及び加圧等の手段によって、タクトバネ２４の外形形状に沿って密着成形させることも可能である。
【００１６】
発光素子２７は、本実施例では側面発光型の発光ダイオードが使用され、その発光面２７ａを導光シート３１の一側面に向けた状態で基板２２上の少なくとも一端に配置される。発光素子２７の位置や数は、基板２２の形状や大きさ、スイッチ２８の配列数に応じて適宜設定されるが、例えば、携帯電話機のような数字キーやファンクションキーなどが配置されるような四角形のキーパッド用のシートスイッチモジュールであれば、基板２２の少なくとも一端に沿って複数個が等間隔に配置される。
【００１７】
導光シート３１は、透明から半透明までの、光を透過する平板状部材であり、基板２２と略同じ形状及び平面サイズを有する平坦の導光部３２と、前記各スイッチ２８と対応する位置に設けられる突起部３３とによって一体形成されている。突起部３３は各スイッチ２８と対向する導光シート３１の裏面に突出形成され、各スイッチ２８の頂部に接触している。前記導光部３２及び突起部３３には、例えば、アクリル樹脂、シリコン樹脂、ポリカーボネート樹脂又はポリエチレンテレフタレート樹脂など導光性の高い材料が用いられる。なお、厚みは特に限定されるものではないが、導光効率及び撓み変形性を考慮して０．０５ｍｍ〜０．２ｍｍの範囲で形成されるのが望ましい。
【００１８】
図１に示したように、前記導光部３２の一側面には、前記発光素子２７の発光面２７ａを内包する受光部３４が設けられる。この受光部３４は導光部３２の一側面を凹設することで形成される。また、前記突起部３３は、一例では図２に示したように、タクトバネ２４の押圧範囲を定めるリング状の輪郭部３５と、この輪郭部３５内で半球状に厚肉形成される凸部３６とによって構成される。輪郭部３５及び凸部３６は、例えば、透明樹脂をスクリーン印刷することによって形成することができ、最初に輪郭部３５を印刷等によって形成した後、この輪郭部３５内に透明樹脂を重ねながら中央部が盛り上がるように印刷することで、凸部３６の形成が可能となる。
【００１９】
本発明においては突起部３３の一部に前記遮光部が設けられる。この遮光部は、図２に示したように前記突起部３３の発光素子２７の発光面２７ａと対向する面とは反対側の外周縁に設けられる外周側の遮光部３７からなる。この遮光部３７は、図３に示すように、凸部３６の外周縁に沿ってその一部に円弧状に形成され、外周縁もしくは輪郭部３５の内周縁に沿った一定の長さ及び幅を有している。ここでは、遮光部３７は導光部３２と突起部３３の間に設けられている。この遮光部３７の長さ及び幅は、発光素子２７の発光量や距離に応じて設定されるが、スポット的な光拡散を抑えるには、長さは前記輪郭部３５の内周長さ全体もしくは凸部３６の外周長さ全体の１/２以下であり、おおよそ１/４程度にするのが好ましい。また、幅は前記輪郭部３５の内周縁から突起部３３の中心までの凸部３６の半径の約１/２以下の範囲が好ましい。この遮光部３７は、導光部３２に突起部３３を形成する工程の前に、予め導光部３２の所定箇所に黒色、好ましくは淡い黒色のインクを印刷することで形成される。なお、前記遮光部３７は、凸部３６の外周縁から輪郭部３５の方に跨って形成されていてもよい。
【００２０】
このように、平面視で凸部３６の外周縁に遮光部３７を設けることで、図２に示したように、導光部３２内に発光素子２７から矢印方向に入射された光の進行を妨げることなく、スイッチ２８の位置でのスポット的な光拡散作用のみを抑えることができる。これによって、前記導光部３２に設けられる他の凸部３６への導光効率の低下を抑え、導光シート３１全体に前記発光素子２７から発せられる光を均等に導光させることができる。
【００２１】
前記外周側の遮光部は、平面視で凸部３６の外周縁の一部に設けられる以外に、図４（ａ）及び図４（ｂ）に示すように、凸部３６の発光素子２７の発光面２７ａと対向する面とは反対側の外表面に設けられてもよい。この遮光部３８は、図４（ｂ）に示したように、凸部３６の外周縁から凸部３６の頂部に向かって凸部３６の外表面に台形状に形成されている。この遮光部３８の台形の底辺長さ及び高さ幅は、前記の遮光部３７と同様、発光素子２７の発光量や距離に応じて設定されるが、スポット的な光拡散を抑えるには、底辺長さは前記輪郭部３５の内周長さ全体の１/２以下であり、おおよそ１/４程度にするのが好ましい。また、高さ幅は前記輪郭部３５の内周縁もしくは凸部３６の外周縁から凸部３６の頂部までの外表面の約１/２以下の範囲が好ましい。このようにして形成された遮光部３８は、台形状または扇形状の遮光面として形成される。なお、この遮光部３８は、導光部３２に突起部３３を形成した後に、凸部３６の所定箇所に淡い黒色のインクを印刷することで形成される。
【００２２】
図５は、複数のスイッチ２８を所定間隔ごとに配列したシートスイッチモジュール２０の平面構成例を示したものである。このように、基板２２上に複数のスイッチ２８を配列し、基板２２の一端に発光素子２７を配置した構成では、発光素子２７に近い側のスイッチ２８の方が遠い側より光拡散作用が大きい。そこで、この実施形態では、発光素子２７に近い側に配置される突起部３３の遮光部３７ａの印刷面積を大きく設定し、配置される突起部３３が発光素子２７から次第に遠ざかるのに従って、遮光部３７ｂ，３７ｃのように印刷面積を次第に小さく設定する。これは、前記スイッチ２８が発光素子２７から遠ざかるに従って突起部３３の受光量が減り、突起部３３の光拡散作用も徐々に低下するためである。このように、発光素子２７からの距離が大きくなるにしたがって、遮光部３７ａ，３７ｂ，３７ｃの印刷面積を次第に小さくし、それぞれのスイッチ２８上の遮光面積を調整することで遮光量の調整が可能となり、スイッチ間の輝度差を目立たなくすることでシートスイッチモジュール２０全体のスイッチ２８を均一に照明することができる。
【００２３】
また、遮光部３７の印刷面積は発光素子２７からの距離にかかわらず同一にし、印刷濃度の濃淡によって遮光量を調整することもできる。即ち、前記発光素子２７に近い側の遮光部３７ａは黒色の印刷濃度を濃くし、遮光部３７ｂ，３７ｃのように発光素子２７から次第に遠ざかるに従って、黒色の印刷濃度を薄くすることによっても遮光量の調整が可能であり、前記の調整手段と同様の作用効果が得られる。なお、このような印刷面積及び印刷濃度による遮光量の調整は、図４に示したような凸部３６の外周面に設けた遮光部３８についても同様である。
【００２４】
なお、前記各遮光部３７，３８は、発光素子２７の発光面２７ａとほぼ向き合うように設けられていればよいので、図５に示したように全ての遮光部３７ａ，３７ｂ，３７ｃが同一位置に規則正しく形成されていなくてもよい。例えば、図５に示した導光シート３１の左右両端に配列された突起部３３については、遮光部３７を外側にずらせて前記発光素子２７から発せられる放射状の発光方向とほぼ直交するように設けてもよい。このように、前記遮光部３７，３８は、発光素子２７の発光量や配置位置に応じて光拡散が最も目立つような箇所に適宜設定することができる。
【００２５】
次に、図２及び図５に基づいて、上記構成によるシートスイッチモジュール２０の発光作用について説明する。発光素子２７には、基板２２に設けられているコネクタ（図示せず）を介してマザーボード等から電流が供給される。この発光素子２７の発光面２７ａから放射状に出射した光は、導光部３２の受光部３４からそれぞれの突起部３３を経由して導光シート３１の端部に向かう。このような導光過程において、前記発光素子２７から発せられた光は、それぞれの突起部３３上を通過する際に、導光部３２の裏面側に設けられた突起部３３やタクトバネ２４の鏡面加工によって上方への拡散光が多くなり、発光輝度が高まるが、その一方で、前記突起部３３の発光素子２７の発光面２７ａに対向する面とは反対側の部位がスポット的に反射してしまう場合がある。上記実施例では、そのスポット的に反射する部位に合わせて黒色インクを印刷した遮光部３７が形成されているので、この部位における光拡散率を低下させることができ、各突起部３３における光拡散効果を均一化することができる。
【００２６】
また、突起部３３に遮光部３７が形成されていても、導光部３２が実質上は平坦であるため、発光素子２７から前記導光シート３１内に導光された光が突起部３３によって妨げられることがなく、導光部３２内を端部までムラなく導光させることができる。
【００２７】
前述したように、遮光部３７，３８の印刷面積や印刷濃度は、光の反射状態などに応じて面積の大きさや濃度を調整することで、各突起部３３における発光輝度や発光のバラツキを適宜調整することができる。
【００２８】
前記外周側の遮光部は、図２及び図４に示したような突起部３３に設けるだけでなく、図６に示すように導光シート３１の上面側に遮光部３９を設けることができる。この場合であっても遮光部３９は、図２に示した遮光部３７と同様、平面視で突起部３３の輪郭部３５の内周縁もしくは凸部３６の外周縁に沿って湾曲状に形成されるのが好ましい。このように、前記遮光部３９が導光シート３１の上面に形成される場合であっても、その作用効果は前記図２及び図４に示した遮光部３７，３８と同様であり、突起部３３におけるスポット的な反射光を抑えることができる。また、この場合には導光部３２に突起部３３を形成する前後のいずれの工程において遮光部３９を印刷することができる。
【００２９】
図７は、本発明に係るシートスイッチモジュールの第２実施例を示したものである。以下、第１実施例と共通する部分は、同一符号を付して説明する。本実施例のシートスイッチモジュール５０は、スイッチ２８に対向する導光シート３１の裏面に突起部３３が形成され、この突起部３３の中央部、具体的には突起部３３の凸部３６の頂部に中央側の遮光部（中央遮光部）５１が設けてある。この中央遮光部５１は、前記の外周側の遮光部と同様の淡い黒色インクを用いて印刷形成される。この印刷の範囲は、通常の状態で前記スイッチ２８の頂部と接触している凸部３６の頂部を中心としてその周囲に凸部の頂面に沿った円形状の広がりを有しており、一例では図７に示したように、導光シート３１上を押圧してタクトバネ２４が固定接点２３に接触したとき、タクトバネ２４が湾曲状に撓む範囲内で設定される。この中央遮光部５１を設けることによって、スイッチ２８と接触する凸部３６の頂部での光拡散を抑えることができる。
【００３０】
また、前記中央遮光部５１は、非粘着性のコーティング材で構成されるのが好ましい。このコーティング材は、黒色インクの中に撥水性や耐摩耗性を有するフッ素系のコート剤を含有するものであり、スイッチ２８と接触している突起部３３の頂部に塗布することで中央遮光部５１を形成することができる。前記コーティング材は非粘着性を有しているので、前記突起部３３の頂部とスイッチ２８の接触面との過度の密着や粘着を防止することができる。その結果、スイッチ２８のバネ性が損なわれることなく、快適なクリック感を継続的に得ることができる。このように、中央遮光部５１を非粘着性のコーティング材で構成することにより、突起部３３での光拡散を抑えることができる他、スイッチ２８のスイッチング操作を確実且つ快適に行なうことができる。なお、前記コーティング材を黒色インクとは別に用意し、黒色インクを印刷した上にフッ素系のコート剤を塗布してもよい。
【００３１】
また、前記中央遮光部５１を凸部３６の頂部に代えて、スイッチ２８側の頂部に設けた場合にも、前記と同様の作用効果を得ることができる。
【００３２】
図８乃至図１２は、本発明に係るシートスイッチモジュールの第３実施例を示したものである。以下、第１及び第２実施例と共通する部分は、同一符号を付して説明する。本実施例に係るシートスイッチモジュール６０は、スイッチ２８に対向する導光シート３１の裏面に形成された突起部３３に、前記外周側の遮光部３７及び中央遮光部５１の両方を設けている。即ち、前記遮光部３７は、第１実施例と同様に、突起部３３の発光素子２７の発光面２７ａに対向する面とは反対側の凸部３６の外周縁の一部に設けられ、中央遮光部５１は、第２実施例と同様、前記突起部３３の頂部に設けられている。この実施例では中央遮光部５１を設けることによって、スイッチ２８と接触する部分の光拡散を抑えることができるので、外周側の遮光部３７との相乗効果によって、突起部３３全体の光拡散を大幅に減少させることができる。
【００３３】
図１０は、前記第３実施例に係るシートスイッチモジュール６０の平面構成例を示したものである。このシートスイッチモジュール６０は、タクトバネ２４を有するスイッチ２８が基板２２上に複数配列され、基板２２の一端に発光素子２７が複数配置された構成からなる。前述したように、発光素子２７に近い側のスイッチ２８の方が遠い側より光拡散作用が大きい。そのため、この実施例においても、先の実施例と同様に、発光素子２７に近い側の突起部３３に設けられた遮光部３７ａの印刷面積を大きく設定し、突起部３３が発光素子２７から次第に遠ざかるに従って、遮光部３７ｂ，３７ｃのように印刷面積を次第に小さく設定する。なお、遮光部３７ａ，３７ｂ，３７ｃの印刷面積を一定にし、印刷濃度の濃淡によって遮光量を調整することもできる。
【００３４】
一方、中央遮光部５１については、良好なクリック感を得るために、発光素子２７からの距離の如何にかかわらず、中央遮光部５１ａ，５１ｂ，５１ｃの印刷面積は一定に形成する必要がある。そこで、中央遮光部５１の遮光量の調整は印刷濃度の濃淡によって行なっている。即ち、発光素子２７に近い側の突起部３３に設けられた中央遮光部５１ａは印刷濃度を濃くし、中央遮光部５１ｂ，５１ｃのように発光素子２７から次第に距離が離れるにしたがって、黒色の印刷濃度を薄くしている。
【００３５】
図１１は突起部３３の凸部３６の外表面に設けた外周側の遮光部３８と中央遮光部５１とを組み合わせて構成した場合の実施例、図１２は導光シート３１の上面に設けた外周側の遮光部３９と中央遮光部５１とを組み合わせて構成した場合の実施例をそれぞれ示している。いずれの実施例においても、各スイッチ２８及び突起部３３の中央部や外周部の両方で光拡散による発光ムラを抑え、スイッチ２８を均一な照明で発光表示させることができる。また、本発明の導光シートについては、薄板形状の導光板でも可撓性のある柔軟なシートについても用いることができる。
【００３６】
さらに、上記第１及び第２実施例のいずれにおいても、シート材２５が密着するタクトバネ２４の上面を鏡面加工し上面全体に鏡面部を設けたり、微細な凹凸加工を施した凹凸部やシボ加工等を施したりすることによって、反射率の向上や光拡散効果による輝度の向上化を図ることもできる。なお、前記タクトバネ２４は、金属材で形成する場合に限らず、例えば、伸縮性を備えた樹脂板をタクトバネのようにドーム状に成形し、裏面に固定接点２３と導通する可動接点電極、表面に反射用の金属膜をメッキ又は蒸着によって形成したり、光反射効果のある微細な金属粒子やガラス粒子を含んだ塗料で塗布したりして形成することもできる。可動接点を構成する部位をこのような樹脂板で形成することで、前述した全体が金属のタクトバネとは異なった柔らかいクリック感を得ることができる。
【符号の説明】
【００３７】
２０  シートスイッチモジュール
２２  基板
２３  固定接点
２４  タクトバネ
２５  シート材
２７  発光素子
２７ａ  発光面
２８  スイッチ
３１  導光シート
３２  導光部
３３  突起部
３４  受光部
３５  輪郭部
３６  凸部
３７，３８，３９  外周側の遮光部
５０  シートスイッチモジュール（第２実施例）
５１  中央遮光部（中央側の遮光部）
６０  シートスイッチモジュール（第３実施例）
【図１】
2009289743.tif 000003
【図２】
2009289743.tif 000004
【図３】
2009289743.tif 000005
【図４】
2009289743.tif 000006
【図５】
2009289743.tif 000007
【図６】
2009289743.tif 000008
【図７】
2009289743.tif 000009
【図８】
2009289743.tif 000010
【図９】
2009289743.tif 000011
【図１０】
2009289743.tif 000012
【図１１】
2009289743.tif 000013
【図１２】
2009289743.tif 000014